(57)【要約】【課題】信号機で停止することなく交差点を通過できるようにする。【解決手段】信号通過支援装置（１００）は、対向車線の交通流量を検出する検出手段（１１０，１２０）と、対向車線の交通流量と標準交通流量とを比較して、自車両（１０）が通過しようとする交差点に設置された信号機（５００）の現在の灯火状態を推定する第１推定手段（２１０）と、信号機の現在の灯火状態、赤時間及び位置に関する情報、並びに自車両及び対向車線を走行する対向車（２０）の車速及び位置に関する情報に基づいて、自車両が交差点を通過する際の信号機の灯火状態を推定する第２推定手段（２２０）と、自車両におけるアクセル操作が検出されない場合に、第２推定手段で推定された信号機の灯火状態に基づいて、自車両が停止せずに交差点を通過できるように、自車両の車速制御を行う制御手段（２３０）とを備える。【選択図】図２
2017045272.tif 000002
【特許請求の範囲】
【請求項１】
対向車線の交通流量を検出する検出手段と、
前記対向車線の交通流量と、前記対向車線の交通流量の標準値である標準交通流量とを比較して、自車両が通過しようとする交差点に設置された信号機の現在の灯火状態を推定する第１推定手段と、
前記信号機の現在の灯火状態、赤時間及び位置に関する情報、並びに前記自車両及び前記対向車線を走行する対向車の車速及び位置に関する情報に基づいて、前記自車両が前記交差点を通過する際の前記信号機の灯火状態を推定する第２推定手段と、
前記自車両におけるアクセル操作が検出されない場合に、前記第２推定手段で推定された信号機の灯火状態に基づいて、前記自車両が停止せずに前記交差点を通過できるように、前記自車両の車速制御を行う制御手段と
を備えることを特徴とする信号通過支援装置。
【発明の詳細な説明】
【技術分野】
【０００１】
本発明は、例えば走行中の車両が信号機を通過する際に、該車両のドライバの運転を支援する信号通過支援装置の技術分野に関する。
【背景技術】
【０００２】
この種の装置として、信号機の灯火状態を検出して自車両の走行制御を行うものが知られている。例えば特許文献１では、矢灯器付きの信号機の状態と、自車両の車速及び交差点における進行方向とから、自車両が交差点を通過可能であるか否かを判断して、自車両の車速を制御するという技術が提案されている。
【先行技術文献】
【特許文献】
【０００３】
【特許文献１】特開２０１０−２８７０３３号公報
【発明の概要】
【発明が解決しようとする課題】
【０００４】
上述した特許文献１には、インフラセンサによって信号機の灯火状態を示す情報を取得する構成が記載されている。このように構成した場合、インフラ情報が取得できない交差点においては、信号機の状態を把握することができない。また、車載カメラ等を利用して信号機の状態を検出する構成も考えられるが、信号機が遠く離れている場合や近くに先行車両が存在している場合には、信号の状態を正確に検出できない可能性がある。このように、信号機の状態を正確に知ることができない場合、自車両が交差点を通過可能であるか否かを正確に判断することができず、結果として自車両を適切に制御できないという技術的問題点が生ずる。
【０００５】
本発明は、例えば上記問題点に鑑みてなされたものであり、信号機の設置された交差点を通過しようとする車両を適切に制御することが可能な信号通過支援装置を提供することを課題とする。
【課題を解決するための手段】
【０００６】
本発明に係る信号通過支援装置は、上述した課題を解決するため、対向車線の交通流量を検出する検出手段と、前記対向車線の交通流量と、前記対向車線の交通流量の標準値である標準交通流量とを比較して、自車両が通過しようとする交差点に設置された信号機の現在の灯火状態を推定する第１推定手段と、前記信号機の現在の灯火状態、赤時間及び位置に関する情報、並びに前記自車両及び前記対向車線を走行する対向車の車速及び位置に関する情報に基づいて、前記自車両が前記交差点を通過する際の前記信号機の灯火状態を推定する第２推定手段と、前記自車両におけるアクセル操作が検出されない場合に、前記第２推定手段で推定された信号機の灯火状態に基づいて、前記自車両が停止せずに前記交差点を通過できるように、前記自車両の車速制御を行う制御手段とを備える。
【０００７】
本発明に係る信号通過支援装置によれば、その動作時には、先ず検出手段により、対向車線の交通流量が検出される。ここで、「対向車線の交通流量」とは、対向車線を走行する対向車の交通流量（言い換えれば、交通流密度）を示す値であり、対向車線を走行する対向車が多いほど大きな値として検出される。検出手段は、例えば車載カメラやレーザレーダ等をを含んで構成される。
【０００８】
続いて、第１推定手段により、対向車線の交通流量と、対向車線の交通流量の標準値である標準交通流量とが比較され、その比較結果から自車両が通過しようとする交差点に設置された信号機の現在の灯火状態が推定される。ここでの「標準交通流量」とは、対向車線の交通流量に対する基準値であり、対向車線の交通流量として予測され得る標準的な値として設定されるものである。標準交通流量は、例えば自車両が走行している道路の規模、及び信号機が設置されている交差点の交差側道路の規模等から推定することができる。また、標準交通流量は、時刻、曜日、周辺で開催されるイベント等の追加情報を利用して推定されてもよい。標準交通流量は、自車両の走行時に得られた情報から学習される値であってもよい。
【０００９】
対向車線の交通流量と標準交通流量とを比較した結果、対向車線の交通流量が標準交通流量を大きく下回っている場合には、交差点に設置された信号機の現在の灯火状態が赤である（即ち、赤信号によって一時的に対向車線の交通流量が減少している）と推定できる。一方、対向車線の交通流量が標準交通流量に近い場合には、交差点に設置された信号機の現在の灯火状態が青であると推定できる。なお、ここでの「現在の灯火状態」とは、後述する第２推定手段によって推定される灯火状態と区別するために便宜上使用している文言であり、推定時点現在の灯火状態と必ずしも一致しない場合がある。例えば、交差点と対向車との距離が大きい場合には、対向車が交差点を通過してから比較的長い時間が経過しているため、通過時とは灯火状態が変わっている可能性がある。
【００１０】
第１推定手段により信号機の現在の灯火状態が推定されると、続いて第２推定手段により、自車両が交差点を通過する際の信号機の灯火状態が推定される。第２推定手段は、第１推定手段で推定された信号機の現在の灯火状態に加え、信号機の赤時間（即ち、灯火状態が赤となってから青に変わるまでの時間）及び位置に関する情報、並びに自車両及び対向車線を走行する対向車の車速及び位置に関する情報に基づいて、自車両が交差点を通過する際の信号機の灯火状態を推定する。
【００１１】
より具体的には、第２推定手段は、信号機の現在の灯火状態、赤時間及び位置に関する情報と、対向車の車速及び位置に関する情報とに基づいて、信号機の残り赤時間（即ち、信号機が青に変わるまでの時間）を推定する。例えば、対向車線の交通流量が減った時点（即ち、第１推定手段で信号機の灯火状態が赤と推定される時点）における対向車の車速及び信号機からの距離を利用すれば、赤継続時間（即ち、信号機が赤となってから経過した時間）が推定できるため、そこから残り赤時間が推定できる。そして、第２推定手段は、信号機の残り赤時間と、自車両の車速及び位置に関する情報とに基づいて、自車両が交差点を通過する際の信号機の灯火状態を推定する。
【００１２】
第２推定手段により自車両が交差点を通過する際の信号機の灯火状態が推定されると、制御手段による自車両の車速制御が行われる。具体的には、制御手段は、第２推定手段で推定された信号機の灯火状態に基づいて、自車両が停止せずに交差点を通過できるように、自車両の車速制御を行う。例えば、制御手段は、自車両が交差点を通過する際の信号機の灯火状態が赤である場合には、残り赤時間に応じた減速制御を行う。より具体的には、残り赤時間が長いほど自車両の速度を大きく減速させる。このように車速を制御すれば、自車両が交差点を通過するまでの時間が長くなり、交差点を通過する際の信号機の灯火状態を青とすることができる。
【００１３】
なお、車速制御における制御量には、例えば安全上の理由等から許容限度が設定されていてもよい。この許容限度での車速制御を行っても自車両が交差点で停止せざるを得ない場合（例えば、最大限減速しても交差点を通過する際の信号機の灯火状態が赤となる場合等）には、許容限度での車速制御を行った後に交差点で車両を停止させるようにすればよい。この場合、車両の交差点での停止時間を短くすることができる。或いは、始めから車速制御を行わないようにしてもよい。また、自車両が交差点を通過する際の信号機の灯火状態が青と推定されている場合には、特に車速制御を行わなくてもよい。
【００１４】
上述した制御手段による車速制御は、自車両におけるアクセル操作が検出されない場合に行われるものであり、アクセル操作が検出された場合には、アクセル操作に応じた通常の車速制御が行われる。これにより、運転者の意図に反して車速が制御されてしまうことを防止できる。
【００１５】
以上説明したように、本発明に係る信号通過支援装置によれば、自車両が交差点を通過する際の信号機の灯火状態を好適に推定し、適切な車速制御を実行することができる。本発明は特に、対向車線の交通流量に基づいて信号機の灯火状態を推定しているため、例えば信号機の灯火情報をインフラ情報として取得できない場合、或いは信号機が車載カメラ等によって直接検出できない場合等に特に有効である。
【００１６】
本発明のこのような作用及び他の利得は次に説明する実施形態から明らかにされる。
【図面の簡単な説明】
【００１７】
【図１】実施形態に係る車両の全体構成を示すブロック図である。
【図２】実施形態に係る信号通過支援装置の動作を示すフローチャートである。
【図３】信号機の灯火状態が赤になった際の交通状況の一例を示す平面図である。
【図４】交差点を通過する際の信号機の灯火状態が赤と推定される場合の状況を示すグラフである。
【図５】交差点を通過する際の信号機の灯火状態が青と推定される場合の状況を示すグラフである。
【発明を実施するための形態】
【００１８】
以下、図面を参照して、本発明の実施形態について説明する。
【００１９】
＜車両の構成＞
始めに、図１を参照し、本実施形態に係る信号通過支援装置が搭載される車両１０の構成について説明する。ここに図１は、本実施形態に係る車両の全体構成を示すブロック図である。
【００２０】
図１において、本実施形態に係る車両１０は、車載カメラ１１０と、レーザレーダ１２０と、ナビゲーションシステム１３０と、ＥＣＵ（Electronic Control Unit）２００と、車速制御アクチュエータ３００とを備えて構成されている。
【００２１】
車載カメラ１１０は、例えば車両１０の前方画像を撮像可能なカメラとして構成されている。本実施形態に係る車載カメラ１１０は特に、撮像した画像から対向車の位置や数を検出することが可能に構成されている。
【００２２】
レーザレーダ１２０は、例えば赤外線レーザを車両前方に照射すると共に、反射したレーザを受光することが可能に構成されたレーダである。本実施形態に係るレーザレーダ１２０は特に、対向車の速度を検出可能なものとして構成されている。また、車載カメラ１１０と同様に、対向車の位置や数を検出することが可能に構成されてもよい。
【００２３】
また、車載カメラ１１０及びレーザレーダ１２０は、各々において検出した情報から対向車線の交通流量を検出可能に構成されている。即ち、本実施形態に係る車載カメラ１１０及びレーザレーダ１２０は、「検出手段」の一具体例として機能する。
【００２４】
ナビゲーションシステム１３０は、ＧＰＳ（Global Positioning System）を利用して、車両１０の走行位置を地図上に表示するシステムである。本実施形態に係るナビゲーションシステム１３０は特に、地図データから信号機の位置や道路規模等を取得可能に構成されている。
【００２５】
ＥＣＵ１００は、車両１０の動作全体を制御することが可能に構成された電子制御ユニットである。本実施形態に係るＥＣＵ１００は特に、「信号通過支援装置」の主要な部分を構成するものとして機能する。ＥＣＵ１００は、その内部に実現される論理的な又は物理的な処理ブロックとして、第１灯火状態推定部２１０、第２灯火状態推定部２２０、及び車速制御部２３０を備えている。
【００２６】
第１灯火状態推定部１１０は、「第１推定手段」の一具体例であり、対向車線の交通流量に基づいて、車両１０が通過しようとしている交差点に設置された信号の灯火状態を推定する。第１灯火状態推定部１１０の具体的な動作（推定方法）については、後に詳述する。
【００２７】
第２灯火状態推定部１２０は、「第２推定手段」の一具体例であり、第１灯火状態推定部１１０における推定結果、並びに信号機、自車両１０及び対向車等に関する情報に基づいて、自車両１０が交差点を通過する際の信号機の灯火状態を推定する。第２灯火状態推定部１２０の具体的な動作（推定方法）については、後に詳述する。
【００２８】
車速制御部１３０は、「制御手段」の一具体例であり、第２灯火状態推定部１２０の推定結果に基づいて、車両１０の車速を制御する。車速制御部１３０は、車速制御アクチュエータ３００の動作を制御することで、車両１０の車速を制御する。車速制御部１２０の具体的な動作（制御方法）については、後に詳述する。
【００２９】
車速制御アクチュエータ３００は、車速制御部１３０からの指令に応じて動作し、車両１０の車速を制御可能に構成されている。車速制御アクチュエータ３００は、例えばスロットル或いはブレーキの動作を制御するアクチュエータとして構成されている。
【００３０】
＜動作説明＞
次に、図２を参照して、本実施形態に係る信号通過支援装置の動作について具体的に説明する。ここに図２は、本実施形態に係る信号通過支援装置の動作を示すフローチャートである。なお、図２のフローチャートで示す一連の処理は、車両１０の走行中において繰り返し実行されるものである。
【００３１】
以下では、車両１０が、車間距離を保ちつつ定速走行を行うＡＣＣ（Adaptive Cruise Control）走行中であることを前提として説明を進める。なお、ＡＣＣ走行の具体的な内容については、公知の各種技術を利用することができ、本実施形態との直接的な関連性も薄いため説明を省略するものとする。
【００３２】
図２において、本実施形態に係る信号通過支援装置の動作時には、先ず運転者によるアクセル操作が検出されたか否かが判定される（ステップＳ１０１）。そして、アクセル操作が検出された場合には（ステップＳ１０１：ＹＥＳ）、以降の処理は省略され、一連の処理が終了する。これにより、信号通過支援装置としての車速制御は実行されず、アクセル操作に応じた車速制御が実行されることになる。このようにすれば、運転者の意図に反する車両１０の車速変動を防止することができる。
【００３３】
一方、アクセル操作が検出されない場合には（ステップＳ１０１：ＮＯ）、対向車線の交通流量が計測される（ステップＳ１０２）。対向車線の交通流量は、車載カメラ１１０やレーザレーダ１２０等によって計測される。対向車線の交通流量は、例えば単位道路長さ当りの対向車の数（言い換えれば、交通流量密度）として取得される。
【００３４】
次に（或いは、上述したステップＳ１０２と相前後して）、標準交通流量が推定される（ステップＳ１０３）。標準交通流量は、車両１０が走行している道路の標準的な交通流量を示す値であり、例えば地図データから取得可能な道路規模（具体的には、走行中の道路及び交差点で交差する側の道路の規模）から推定することができる。また標準交通流量は、車両１０の走行時に得られた学習データ、インフラ情報、時刻情報、曜日情報、周辺のイベント情報等に基づいて推定されてもよい。
【００３５】
対向車線の交通流量及び標準交通流量が推定されると、それらが互いに比較される（ステップＳ１０４）。具体的には、標準交通流量から対向車線の交通流量が減算され、それらの差分（以下、適宜「交通流量差分」と称する）が算出される。交通流量差分が小さい場合には、対向車線の交通流量が標準的な値に近い状態であると判断できる。一方で、交通流量差分が大きい場合には、対向車線の交通流量が標準的な値よりも大幅に少ない状態であると判断できる。
【００３６】
上述した交通流量差分は、所定の閾値と比較される（ステップＳ１０５）。なお、ここでの閾値は、信号機の灯火状態を推定するために設定される値であり、交通流量差分が信号機の影響によるものと判断できる程度に大きいものか否かを判定できるように、予めシミュレーション等により決定される。
【００３７】
交通流量差分が閾値より大きいと判定されると（ステップＳ１０５：ＹＥＳ）、第１灯火状態推定部２１０により、信号機の灯火状態が赤と推定される（ステップＳ１０６）。即ち、信号機の灯火状態が赤であるために、対向車線の交通流量が標準交通流量と比べて大きく減少している状態であると判断される。一方、交通流量差分が閾値以下であると判定されると（ステップＳ１０５：ＮＯ）、第１灯火状態推定部２１０により、信号機の灯火状態が青と推定される（ステップＳ１０７）。即ち、信号機の灯火状態が青であるために、対向車線の交通流量が標準交通流量に近い状態であると判断される。
【００３８】
以下では、図３を参照して、上述した信号機の灯火状態の推定方法についてより具体的に説明する。ここに図３は、信号機の灯火状態が赤になった際の交通状況の一例を示す平面図である。
【００３９】
図３に示すように、自車両１０が、信号機５００の設置された交差点に向けて走行中であるとする。この場合、信号機５００の灯火状態が青であると、対向車線を走行する対向車は交差点を通過することができる。よって、自車両１０が認識できる対向車の数（即ち、対向車線の交通流量）は、標準交通流量に近い値となる。従って、対向車線の交通流量が標準交通流量に近い場合（即ち、交通流量差分が閾値以下である場合）には、信号機５００の灯火状態が青と推定できるのである。
【００４０】
一方で、信号機４００の灯火状態が赤になると、対向車は交差点を通過することができなくなる。よって、自車両１０が認識できる対向車の数は、標準交通流量と比べて極端に少なくなる。従って、対向車線の交通流量が標準交通流量と比べて大幅に少ない場合（即ち、交通流量差分が閾値より大きい場合）には、信号機５００の灯火状態が赤と推定できるのである。
【００４１】
上述したように、対向車線の交通流量を利用すれば、信号機５００の灯火状態を好適に推定することができる。このような推定法方法は、例えば信号機５００の灯火情報をインフラ情報として取得できない場合、或いは信号機５００が車載カメラ１１０等によって直接検出できない場合等に特に有効である。
【００４２】
図２に戻り、信号機５００の灯火状態が青と推定された場合には、その後の処理は省略され、一連の処理が終了する。即ち、自車両１０は交差点を通過可能であると判断できるため、信号通過支援装置としての車速制御は実行されない。一方で、信号機５００の灯火状態が赤と推定された場合には、信号機５００の灯火状態が赤となってから経過した時間である赤経過時間ｔが算出される（ステップＳ１０８）。
【００４３】
赤経過時間ｔは、例えば信号機５００の灯火状態が赤と推定された時点における交差点までの距離である交差点距離Ｌ（図３参照）、及び対向車の車速Ｖｒを利用して算出できる。具体的には、赤経過時間ｔは、以下の数式（１）を用いて算出することができる。
【００４４】
ｔ＝Ｌ／Ｖｒ  ・・・（１）
【００４５】
次に、自車両１０が交差点に到達するまでの時間である予想到達時間ｔ０が算出される（ステップＳ１０９）。予想到達時間ｔ０は、例えば自車両１０の速度Ｖ、及び交差点距離Ｌを利用して算出できる。具体的には、予想到達時間ｔ０は、以下の数式（２）を用いて算出することができる。
【００４６】
ｔ０＝Ｌ／Ｖ  ・・・（２）
【００４７】
赤経過時間ｔ及び予想到達時間ｔ０が夫々算出されると、赤経過時間ｔと予想到達時間ｔ０との和が、平均赤時間Ｔ（即ち、信号機５００が赤となってから青に変わるまでの平均時間）よりも小さいか否かが判定される（ステップＳ１１０）。なお、平均赤時間Ｔは、インフラ情報として取得されてもよいし、標準交通流量と同様に道路規模等の情報を利用して推定されてもよい。
【００４８】
赤経過時間ｔと予想到達時間ｔ０との和が平均赤時間Ｔ以上である場合（ステップＳ１０：ＮＯ）、自車両１０が交差点に到達する時刻には、信号機５００の灯火状態が赤から青に変わっていると推定できる。この場合、第２灯火状態推定部２２０は、自車両１０が交差点を通過する際の信号機５００の灯火状態は青であると推定し、以降の処理を省略する。即ち、自車両１０は交差点を通過可能であると判断できるため、信号通過支援装置としての車速制御は実行されない。
【００４９】
一方で、赤経過時間ｔと予想到達時間ｔ０との和が平均赤時間Ｔより小さい場合（ステップＳ１０：ＹＥＳ）、自車両１０が交差点に到達する時刻においても、信号機５００の灯火状態が赤のままであると推定できる。この場合、第２灯火状態推定部２２０は、自車両１０が交差点を通過する際の信号機５００の灯火状態は青であると推定し、以下に説明する信号通過支援装置としての車速制御を実行する。
【００５０】
車速制御時には、制御後の目標車速Ｖｔｇｔ、及びそれを実現するための速度低減量ｄＶが算出される（ステップＳ１１１）。目標車速Ｖｔｇｔ及び速度低減量ｄＶは夫々以下の数式（３）及び（４）を利用して算出することができる。
【００５１】
Ｖｔｇｔ＝Ｌ／（Ｔ−ｔ）  ・・・（３）
【００５２】
ｄＶ＝Ｖ−Ｖｔｇｔ  ・・・（４）
【００５３】
次に、速度低減量ｄＶが許容速度低減量ｄＶｍａｘより小さいか否かが判定される（ステップＳ１１２）。なお、許容速度低減量ｄＶｍａｘとは、速度低減量ｄＶの上限値として設定される値であり、例えば安全上の理由から急激な減速を防止するために設定されている。なお、許容速度低減量ｄＶｍａｘは、所定の固定値であってもよいし、車両の走行状況等に応じて変化する変動値であってもよい。
【００５４】
速度低減量ｄＶが許容速度低減量ｄＶｍａｘより小さいと判定された場合（ステップＳ１１２：ＹＥＳ）、車速制御部２３０により、自車両の速度ＶがＡＣＣ設定速度Ｖａｃｃから速度低減量ｄＶを差し引いた値になるよう車速制御が実行される（ステップＳ１１３）。このように車速制御すれば、自車両１０が交差点を通過する際の信号機５００の灯火状態が青となるように調整することができ、自車両１０は停止することなく交差点を通過することができる。
【００５５】
一方、速度低減量ｄＶが許容速度低減量ｄＶｍａｘ以上であると判定された場合（ステップＳ１１２：ＮＯ）、車速制御部２３０により、自車両の速度ＶがＡＣＣ設定速度Ｖａｃｃから許容速度低減量ｄＶｍａｘを差し引いた値になるよう車速制御が実行される（ステップＳ１１４）。即ち、許容速度低減量ｄＶｍａｘ以上の減速が要求される場合であっても、許容速度低減量ｄＶｍａｘ以上の減速は実行されない。この場合、自車両１０が交差点を通過する際の信号機５００の灯火状態が赤のままとなる可能性があるが、自車両１０の停止時間を短くすることができる。
【００５６】
以下では、図４及び図５を参照して、上述した車速制御についてより具体的に説明する。ここに図４は、交差点を通過する際の信号機の灯火状態が赤と推定される場合の状況を示すグラフである。また図５は、交差点を通過する際の信号機の灯火状態が青と推定される場合の状況を示すグラフである。
【００５７】
図４及び図５において、自車両軌跡が太実線で示されている。なお、自車両軌跡の傾きは、自車両速度Ｖに対応している。一方、対向車軌跡は、自車両軌跡とは反対の傾きを有する直線で示されている。なお、対向車軌跡の傾きは、対向車速度Ｖｒに対応している。また、対向車２０は複数存在しているため、対向車軌跡は複数の直線で示されている。
【００５８】
ここで、交通流量差分が閾値を超えるタイミング（即ち、自車両軌跡とグラフ中の最後尾の対向車２０の対向車軌跡が交差するタイミング）における対向車速度Ｖｒ及び交差点距離Ｌから、赤経過時間ｔを算出できる。また、交通流量差分が閾値を超えるタイミングにおける自車両速度Ｖ及び交差点距離Ｌから、予想到達時間ｔ０を算出できる。
【００５９】
そして、赤経過時間ｔと予想到達時間ｔ０との和を赤平均時間Ｔと比較すれば、自車両１０が交差点を通過する際の信号機５００の灯火状態を推定することができる。図４に示す例では、ｔ＋ｔ０＜Ｔであり、赤タイミングと自車両軌跡とが重なっていることからも分かるように、自車両１０が交差点を通過する際の信号機５００の灯火状態は赤と推定できる。一方、図５に示す例では、ｔ＋ｔ０＞Ｔであり、赤タイミングと自車両軌跡とが重なっていないことからも分かるように、自車両１０が交差点を通過する際の信号機５００の灯火状態は青と推定できる。
【００６０】
図４に示す例では、自車両１０が交差点で停止するのを回避するために、車速制御が実行される。具体的には、交通流量差分が閾値を超えたタイミング（言い換えれば、自車両１０が交差点を通過する際の信号機５００の灯火状態が赤と推定できた時点）で、自車両１０の減速制御が行われる。この結果、自車両軌跡は太破線で示す直線に変化し、赤タイミングと重ならなくなる。なお、図５で示す例については、自車両１０が交差点を通過する際の信号機５００の灯火状態が青であるため、車速制御をせずとも停止せずに交差点を通過できる。
【００６１】
以上説明したように、本実施形態に係る信号通過支援装置によれば、自車両１０が交差点を通過する際の信号機５００の灯火状態を好適に推定し、適切な車速制御を実行することができる。この結果、自車両１０は赤信号によって停止することなく交差点を通過可能となる。
【００６２】
本発明は、上述した実施形態に限られるものではなく、請求の範囲及び明細書全体から読み取れる発明の要旨或いは思想に反しない範囲で適宜変更可能であり、そのような変更を伴う信号通過支援装置もまた本発明の技術的範囲に含まれるものである。
【符号の説明】
【００６３】
１０  自車両
２０  対向車
１１０  車載カメラ
１２０  レーザレーダ
１３０  ナビゲーションシステム
２００  ＥＣＵ
２１０  第１灯火状態推定部
２２０  第２灯火状態推定部
２３０  車速制御部
３００  車速制御アクチュエータ
５００  信号機
ｔ  赤経過時間
ｔ０  予想到達時間
Ｔ  平均赤時間
Ｌ  交差点距離
Ｖ  自車両速度
Ｖｒ  対向車速度
Ｖｔｇｔ  目標速度
Ｖａｃｃ  ＡＣＣ設定速度
ｄＶ  速度低減量
ｄＶｍａｘ  許容速度低減量
【図１】
2017045272.tif 000003
【図２】
2017045272.tif 000004
【図３】
2017045272.tif 000005
【図４】
2017045272.tif 000006
【図５】
2017045272.tif 000007